【手続補正書】
【提出日】平成28年1月26日(2016.1.26)
【手続補正１】
【補正対象書類名】特許請求の範囲
【補正対象項目名】全文
【補正方法】変更
【補正の内容】
【特許請求の範囲】
【請求項１】
８Ｋ又は４Ｋの映像信号を所定のＳＤＩ（Serial Digital Interface）のフォーマットで規定されるデータストリームである複数のチャンネルのＳＤＩデータストリームにマッピングするマッピング部と、
複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより、ビットレートが２５Ｇｂｐｓから２８．３Ｇｂｐｓの範囲内の複数のレーンのシリアルのデータストリームを生成する多重部と
を備える信号処理装置。
【請求項２】
前記マッピング部は、８Ｋの４８Ｐ−６０Ｐ／４：４：４／１０ビット，１２ビット又は４８Ｐ−６０Ｐ／４：２：２／１２ビットの映像信号をＨＤ−ＳＤＩのフォーマットで規定されるデータストリームである６４チャンネルの第１のＳＤＩデータストリーム、又は、３Ｇ−ＳＤＩのフォーマットで規定されるデータストリームである３２チャンネルの第２のＳＤＩデータストリームにマッピングし、
前記多重部は、奇数又は偶数のいずれか一方のチャンネルの前記第１のＳＤＩデータストリーム又は前記第２のＳＤＩデータストリームに対して４０ビット単位で８Ｂ／１０Ｂ変換を行い、他方のチャンネルの前記第１のＳＤＩデータストリーム又は前記第２のＳＤＩデータストリームに対して４０ビット毎に３２ビットのデータを抽出し、抽出したデータの８Ｂ／１０Ｂ変換を行うとともに、８Ｂ／１０Ｂ変換後の６４チャンネルの前記第１のＳＤＩデータストリーム又は３２チャンネルの前記第２のＳＤＩデータストリームを多重化することにより、４レーンの前記シリアルのデータストリームを生成する
請求項１に記載の信号処理装置。
【請求項３】
前記マッピング部は、８Ｋの４８Ｐ−６０Ｐ／４：２：２／１０ビットの映像信号をＨＤ−ＳＤＩのフォーマットで規定されるデータストリームである３２チャンネルの第１のＳＤＩデータストリーム、又は、３Ｇ−ＳＤＩのフォーマットで規定されるデータストリームである１６チャンネルの第２のＳＤＩデータストリームにマッピングし、
前記多重部は、奇数又は偶数のいずれか一方のチャンネルの前記第１のＳＤＩデータストリーム又は前記第２のＳＤＩデータストリームに対して４０ビット単位で８Ｂ／１０Ｂ変換を行い、他方のチャンネルの前記第１のＳＤＩデータストリーム又は前記第２のＳＤＩデータストリームに対して４０ビット単位でスクランブルを行うとともに、８Ｂ／１０Ｂ変換又はスクランブル後の３２チャンネルの前記第１のＳＤＩデータストリーム又は１６チャンネルの前記第２のＳＤＩデータストリームを多重化することにより、２レーンの前記シリアルのデータストリームを生成する
請求項１に記載の信号処理装置。
【請求項４】
前記マッピング部は、８Ｋの４８Ｐ−６０Ｐ／４：４：４／１０ビット，１２ビット又は４８Ｐ−６０Ｐ／４：２：２／１２ビットの映像信号をＨＤ−ＳＤＩのフォーマットで規定されるデータストリームである６４チャンネルの第１のＳＤＩデータストリーム、又は、３Ｇ−ＳＤＩのフォーマットで規定されるデータストリームである３２チャンネルの第２のＳＤＩデータストリームにマッピングし、
前記多重部は、奇数又は偶数のいずれか一方のチャンネルの前記第１のＳＤＩデータストリーム又は前記第２のＳＤＩデータストリームに対して４０ビット単位でスクランブルを行い、他方のチャンネルの前記第１のＳＤＩデータストリーム又は前記第２のＳＤＩデータストリームに対して４０ビット毎に３２ビットのデータを抽出し、抽出したデータの８Ｂ／１０Ｂ変換を行うとともに、スクランブル又は８Ｂ／１０Ｂ変換後の６４チャンネルの前記第１のＳＤＩデータストリーム又は３２チャンネルの前記第２のＳＤＩデータストリームを多重化することにより、４レーンの前記シリアルのデータストリームを生成する
請求項１に記載の信号処理装置。
【請求項５】
前記マッピング部は、４Ｋの４８Ｐ−６０Ｐ／４：４：４／１６ビットのＲＡＷ信号をＨＤ−ＳＤＩのフォーマットで規定されるデータストリームである３２チャンネルの第１のＳＤＩデータストリーム、又は、３Ｇ−ＳＤＩのフォーマットで規定されるデータストリームである１６チャンネルの第２のＳＤＩデータストリームにマッピングし、
前記多重部は、奇数又は偶数のいずれか一方のチャンネルの前記第１のＳＤＩデータストリーム又は前記第２のＳＤＩデータストリームに対して４０ビット単位で８Ｂ／１０Ｂ変換を行い、他方のチャンネルの前記第１のＳＤＩデータストリーム又は前記第２のＳＤＩデータストリームに対して４０ビット毎に３２ビットのデータを抽出し、抽出したデータの８Ｂ／１０Ｂ変換を行うとともに、８Ｂ／１０Ｂ変換後の３２チャンネルの前記第１のＳＤＩデータストリーム又は１６チャンネルの前記第２のＳＤＩデータストリームを多重化することにより、２レーンの前記シリアルのデータストリームを生成する
請求項１に記載の信号処理装置。
【請求項６】
前記マッピング部は、８Ｋ又は４Ｋの９６Ｐ−１２０Ｐの映像信号を２フレーム単位で複数のチャンネルの前記ＳＤＩデータストリームにマッピングする
請求項１乃至５のいずれかに記載の信号処理装置。
【請求項７】
前記マッピング部は、８Ｋの５０Ｐ−６０Ｐ／４：４：４／１０ビット，１２ビットの映像信号をワード長が１２ビットの４８チャンネルの前記ＳＤＩデータストリームにマッピングし、
前記多重部は、４８チャンネルの前記ＳＤＩデータストリームに対して４８ビット単位で８Ｂ／１０Ｂ変換を行い、８Ｂ／１０Ｂ変換後の４８チャンネルの前記ＳＤＩデータストリームを多重化することにより、４レーンの前記シリアルのデータストリームを生成する
請求項１に記載の信号処理装置。
【請求項８】
前記マッピング部は、８Ｋの１００Ｐ−１２０Ｐ／４：４：４／１０ビット，１２ビットの映像信号をワード長が１２ビットの４８チャンネルの前記ＳＤＩデータストリームにマッピングし、
前記多重部は、４８チャンネルの前記ＳＤＩデータストリームに対して４８ビット単位で８Ｂ／１０Ｂ変換を行い、８Ｂ／１０Ｂ変換後の４８チャンネルの前記ＳＤＩデータストリームを多重化することにより、８レーンの前記シリアルのデータストリームを生成する
請求項１に記載の信号処理装置。
【請求項９】
前記多重部は、前記シリアルのデータストリームのレーン数だけ設けられ、
各前記多重部は、
それぞれ１つの前記ＳＤＩデータストリームが入力され、入力された前記ＳＤＩデータストリームに対して所定のビット単位で８Ｂ／１０Ｂ変換又はスクランブルを行い、所定のビットのデータブロックを生成する複数の信号処理部と、
複数の前記信号処理部により生成された前記データブロックを所定の順序で多重化することにより、所定のワード長のパラレルのデータストリームを生成するデータストリーム生成部と、
前記パラレルのデータストリームをパラレル／シリアル変換することにより、前記シリアルのデータストリームを生成するパラレル／シリアル変換部と
を備える請求項１乃至８のいずれかに記載の信号処理装置。
【請求項１０】
複数の前記信号処理部は、１４８．５ＭＨｚ又は１４８．５／１．００１ＭＨｚのクロック信号に同期して処理を行うとともに、４クロック毎に合計で７２０ビットのデータを出力し、
前記データストリーム生成部は、ｘＭＨｚのクロック信号に同期して動作するとともに、１クロック毎に１８０ビット×１４８．５ＭＨｚ÷ｘＭＨｚ（ビット）又は１８０ビット×１４８．５／１．００１ＭＨｚ÷ｘＭＨｚ（ビット）のパラレルのデータを出力する
請求項９に記載の信号処理装置。
【請求項１１】
前記データストリーム生成部は、前記シリアルのデータストリームの各ラインの先頭に所定の同期信号を多重する
請求項９に記載の信号処理装置。
【請求項１２】
前記マッピング部は、各前記ＳＤＩデータストリームの水平補助データ領域内に音声データを含む補助データを多重する領域を確保し、前記水平補助データ領域の残りの領域に、前記８Ｋ又は４Ｋの映像信号の水平方向の余剰画素領域の画素サンプルのデータを多重する
請求項１乃至１１のいずれかに記載の信号処理装置。
【請求項１３】
前記マッピング部は、複数のチャンネルのうちの所定のチャンネルの前記ＳＤＩデータストリームの水平補助データ領域に音声データを含む補助データを多重し、前記補助データを多重するチャンネルと異なるチャンネルの前記ＳＤＩデータストリームの前記水平補助データ領域に、前記８Ｋ又は４Ｋの映像信号の水平方向の余剰画素領域の画素サンプルのデータを多重する
請求項１乃至１１のいずれかに記載の信号処理装置。
【請求項１４】
複数のレーンの前記シリアルのデータストリームを波長多重して１００Ｇｂｐｓのイーサネット用デバイスを介して送信するように制御する送信制御部を
さらに備える請求項１乃至１３のいずれかに記載の信号処理装置。
【請求項１５】
８Ｋ又は４Ｋの映像信号を所定のＳＤＩ（Serial Digital Interface）のフォーマットで規定されるデータストリームである複数のチャンネルのＳＤＩデータストリームにマッピングし、
複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより、ビットレートが２５Ｇｂｐｓから２８．３Ｇｂｐｓの範囲内の複数のレーンのシリアルのデータストリームを生成する
ステップを含む信号処理方法。
【請求項１６】
８Ｋ又は４Ｋの映像信号を所定のＳＤＩ（Serial Digital Interface）のフォーマットで規定されるデータストリームである複数のチャンネルのＳＤＩデータストリームにマッピングし、
複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより、ビットレートが２５Ｇｂｐｓから２８．３Ｇｂｐｓの範囲内の複数のレーンのシリアルのデータストリームを生成する
ステップを含む処理をコンピュータに実行させるためのプログラム。
【請求項１７】
８Ｋ又は４Ｋの映像信号を所定のＳＤＩ（Serial Digital Interface）のフォーマットで規定されるデータストリームである複数のチャンネルのＳＤＩデータストリームにマッピングし、複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより生成される、ビットレートが２５Ｇｂｐｓから２８．３Ｇｂｐｓの範囲内の複数のレーンのシリアルのデータストリームから、複数のチャンネルの前記ＳＤＩデータストリームを再生するデータストリーム再生部と、
複数のチャンネルの前記ＳＤＩデータストリームから前記８Ｋ又は４Ｋの映像信号を再生する映像再生部と
を備える信号処理装置。
【請求項１８】
８Ｋ又は４Ｋの映像信号を所定のＳＤＩ（Serial Digital Interface）のフォーマットで規定されるデータストリームである複数のチャンネルのＳＤＩデータストリームにマッピングし、複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより生成される、ビットレートが２５Ｇｂｐｓから２８．３Ｇｂｐｓの範囲内の複数のレーンのシリアルのデータストリームから、複数のチャンネルの前記ＳＤＩデータストリームを再生し、
複数のチャンネルの前記ＳＤＩデータストリームから前記８Ｋ又は４Ｋの映像信号を再生する
ステップを含む信号処理方法。
【請求項１９】
８Ｋ又は４Ｋの映像信号を所定のＳＤＩ（Serial Digital Interface）のフォーマットで規定されるデータストリームである複数のチャンネルのＳＤＩデータストリームにマッピングし、複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより生成される、ビットレートが２５Ｇｂｐｓから２８．３Ｇｂｐｓの範囲内の複数のレーンのシリアルのデータストリームから、複数のチャンネルの前記ＳＤＩデータストリームを再生し、
複数のチャンネルの前記ＳＤＩデータストリームから前記８Ｋ又は４Ｋの映像信号を再生する
ステップを含む処理をコンピュータに実行させるためのプログラム。
【請求項２０】
８Ｋ又は４Ｋの映像信号を所定のＳＤＩ（Serial Digital Interface）のフォーマットで規定されるデータストリームである複数のチャンネルのＳＤＩデータストリームにマッピングするマッピング部と、
複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより、ビットレートが２５Ｇｂｐｓから２８．３Ｇｂｐｓの範囲内の複数のレーンのシリアルのデータストリームを生成する多重部と、
複数のレーンの前記シリアルのデータストリームの送信を制御する送信制御部と
を備える信号送信装置と、
複数のレーンの前記シリアルのデータストリームの受信を制御する受信制御部と、
複数のレーンの前記シリアルのデータストリームから、複数のチャンネルの前記ＳＤＩデータストリームを再生するデータストリーム再生部と、
複数のチャンネルの前記ＳＤＩデータストリームから前記８Ｋ又は４Ｋの映像信号を再生する映像再生部と
を備える信号受信装置と
を含む信号伝送システム。
【手続補正２】
【補正対象書類名】明細書
【補正対象項目名】０００２
【補正方法】変更
【補正の内容】
【０００２】
従来、１フレームが１９２０サンプル×１０８０ラインの現行のＨＤ（High Definition）の映像信号を超える超高精細映像信号の受像システムや撮像システムの開発が進んでいる。例えば、現行のＨＤで規定される画素数の１６倍又は４倍もの画素数を持つ次世代の８Ｋ又は４Ｋの映像信号の放送方式の標準化が、国際協会によって行われている。この国際協会には、ＩＴＵ（International Telecommunication Union）やＳＭＰＴＥ（Society of Motion Picture and Television Engineers）がある。また、８Ｋや４Ｋの映像信号に関する映像規格のうち、ＩＴＵで標準化されている映像規格はＬＳＤＩ（Large screen digital imagery）と呼ばれ、ＳＭＰＴＥに提案している映像規格はＵＨＤＴＶと呼ばれる。例えば、ＵＨＤＴＶに関しては、図１に示される映像信号が規定されている。
【手続補正３】
【補正対象書類名】明細書
【補正対象項目名】０００３
【補正方法】変更
【補正の内容】
【０００３】
また、２０１２年８月にＩＴＵ−Ｒ勧告ＢＴ．２０２０が承認され、ＵＨＤＴＶの信号規格に広色域と１２０Ｐのフレームレートに関する規格が追加された。ＳＭＰＴＥではＳＭＰＴＥ２０３６−１にこれらのパラメータを追加改定する作業が行われている。
【手続補正４】
【補正対象書類名】明細書
【補正対象項目名】０００５
【補正方法】変更
【補正の内容】
【０００５】
【特許文献１】特開２０１２−２４４４１９号公報
【手続補正５】
【補正対象書類名】明細書
【補正対象項目名】００１９
【補正方法】変更
【補正の内容】
【００１９】
前記マッピング部には、各前記ＳＤＩデータストリームの水平補助データ領域内に音声データを含む補助データを多重する領域を確保させ、前記水平補助データ領域の残りの領域に、前記８Ｋ又は４Ｋの映像信号の水平方向の余剰画素領域の画素サンプルのデータを多重させることができる。
【手続補正６】
【補正対象書類名】明細書
【補正対象項目名】００２０
【補正方法】変更
【補正の内容】
【００２０】
前記マッピング部には、複数のチャンネルのうちの所定のチャンネルの前記ＳＤＩデータストリームの水平補助データ領域に音声データを含む補助データを多重させ、前記補助データを多重するチャンネルと異なるチャンネルの前記ＳＤＩデータストリームの前記水平補助データ領域に、前記８Ｋ又は４Ｋの映像信号の水平方向の余剰画素領域の画素サンプルのデータを多重させることができる。
【手続補正７】
【補正対象書類名】明細書
【補正対象項目名】００３２
【補正方法】変更
【補正の内容】
【００３２】
【図１】ＵＨＤＴＶに関する映像信号の規格を示す表である。
【図２】８Ｋの映像信号の１フレームの画素の構成例を示す図である。
【図３】ＵＨＤＴＶ規格の映像信号のサンプル構造の例を示す図である。
【図４】本技術の実施の形態に係る信号伝送システムの全体構成を示す図である。
【図５】第１の実施の形態における放送用カメラの機能の構成例を示すブロック図である。
【図６】第１の実施の形態における放送用カメラの多重部の機能の構成例を示すブロック図である。
【図７】データストリーム生成部の機能の構成例を示すブロック図である。
【図８】第１の実施の形態におけるＣＣＵの機能の構成例を示すブロック図である。
【図９】放送用カメラの送信制御部とＣＣＵの受信制御部の間の具体的な構成例を示す図である。
【図１０】第１の実施の形態における映像信号送信処理を説明するためのフローチャートである。
【図１１】８Ｋの映像信号を４Ｋの映像信号にマッピングする方法を説明するための図である。
【図１２】８Ｋの映像信号を４Ｋの映像信号にマッピングする方法を説明するための図である。
【図１３】４Ｋの映像信号をサブイメージにマッピングする第１の方法を説明するための図である。
【図１４】サブイメージをＨＤ−ＳＤＩにマッピングする方法を説明するための図である。
【図１５】ＳＭＰＴＥ３７２によるリンクＡ、Ｂのデータ構造の例を説明するための図である。
【図１６】第１の実施の形態の映像信号送信処理における、補助データ及び余剰画素の多重方法並びにデータブロックの生成方法の第１の例を説明するための図である。
【図１７】第１の実施の形態の映像信号送信処理における、補助データ及び余剰画素の多重方法並びにデータブロックの生成方法の第２の例を説明するための図である。
【図１８】ＳＡＶ及びＥＡＶからのデータ抽出方法を説明するための図である。
【図１９】第１の実施の形態における映像信号送信処理においてＨＤ−ＳＤＩから生成されるデータブロックの例を示す図である。
【図２０】第１の実施の形態における映像信号送信処理においてＨＤ−ＳＤＩから生成されるデータブロックの例を示す図である。
【図２１】伝送用データストリームのデータ構成の例を示す図である。
【図２２】ワード同期信号のデータ構成の例を示す図である。
【図２３】第１の実施の形態における映像信号受信処理を説明するためのフローチャートである。
【図２４】第２の実施の形態における放送用カメラの機能の構成例を示すブロック図である。
【図２５】第２の実施の形態における放送用カメラの多重部の機能の構成例を示すブロック図である。
【図２６】第２の実施の形態におけるＣＣＵの機能の構成例を示すブロック図である。
【図２７】第２の実施の形態における映像信号送信処理を説明するためのフローチャートである。
【図２８】第２の実施の形態の映像信号送信処理における、補助データ及び余剰画素の多重方法並びにデータブロックの生成方法の第１の例を説明するための図である。
【図２９】第２の実施の形態の映像信号送信処理における、補助データ及び余剰画素の多重方法並びにデータブロックの生成方法の第２の例を説明するための図である。
【図３０】第２の実施の形態における映像信号送信処理においてＨＤ−ＳＤＩから生成されるデータブロックの例を示す図である。
【図３１】第２の実施の形態における映像信号送信処理においてＨＤ−ＳＤＩから生成されるデータブロックの例を示す図である。
【図３２】第２の実施の形態における映像信号受信処理を説明するためのフローチャートである。
【図３３】第３の実施の形態における放送用カメラの機能の構成例を示すブロック図である。
【図３４】第３の実施の形態における放送用カメラの多重部の機能の構成例を示すブロック図である。
【図３５】第３の実施の形態におけるＣＣＵの機能の構成例を示すブロック図である。
【図３６】第３の実施の形態における映像信号送信処理を説明するためのフローチャートである。
【図３７】第３の実施の形態の映像信号送信処理における、補助データ及び余剰画素の多重方法並びにデータブロックの生成方法の第１の例を説明するための図である。
【図３８】第３の実施の形態の映像信号送信処理における、補助データ及び余剰画素の多重方法並びにデータブロックの生成方法の第２の例を説明するための図である。
【図３９】第３の実施の形態における映像信号送信処理においてＨＤ−ＳＤＩから生成されるデータブロックの例を示す図である。
【図４０】第３の実施の形態における映像信号送信処理においてＨＤ−ＳＤＩから生成されるデータブロックの例を示す図である。
【図４１】第３の実施の形態における映像信号受信処理を説明するためのフローチャートである。
【図４２】４Ｋの映像信号をサブイメージにマッピングする第２の方法を説明するための図である。
【図４３】サブイメージのフォーマットの例を示す図である。
【図４４】第５の実施の形態における放送用カメラの機能の構成例を示すブロック図である。
【図４５】第５の実施の形態における放送用カメラの多重部の機能の構成例を示すブロック図である。
【図４６】第５の実施の形態におけるＣＣＵの機能の構成例を示すブロック図である。
【図４７】第５の実施の形態における映像信号送信処理を説明するためのフローチャートである。
【図４８】４ＫのＲＡＷ信号をＨＤ−ＳＤＩにマッピングする方法を説明するための図である。
【図４９】第５の実施の形態の映像信号送信処理における、補助データ及び余剰画素の多重方法並びにデータブロックの生成方法の第１の例を説明するための図である。
【図５０】第５の実施の形態の映像信号送信処理における、補助データ及び余剰画素の多重方法並びにデータブロックの生成方法の第２の例を説明するための図である。
【図５１】第５の実施の形態における映像信号受信処理を説明するためのフローチャートである。
【図５２】第７の実施の形態における放送用カメラの機能の構成例を示すブロック図である。
【図５３】第７の実施の形態における放送用カメラの多重部の機能の構成例を示すブロック図である。
【図５４】第７の実施の形態におけるＣＣＵの機能の構成例を示すブロック図である。
【図５５】第７の実施の形態における映像信号送信処理を説明するためのフローチャートである。
【図５６】第７の実施の形態の映像信号送信処理における、補助データ及び余剰画素の多重方法並びにデータブロックの生成方法の第１の例を説明するための図である。
【図５７】第７の実施の形態の映像信号送信処理における、補助データ及び余剰画素の多重方法並びにデータブロックの生成方法の第２の例を説明するための図である。
【図５８】第７の実施の形態における映像信号送信処理においてベーシックストリームから生成されるデータブロックの例を示す図である。
【図５９】第７の実施の形態における映像信号送信処理においてベーシックストリームから生成されるデータブロックの例を示す図である。
【図６０】第７の実施の形態における映像信号受信処理を説明するためのフローチャートである。
【図６１】第８の実施の形態における放送用カメラの機能の構成例を示すブロック図である。
【図６２】第８の実施の形態における放送用カメラの多重部の機能の構成例を示すブロック図である。
【図６３】第８の実施の形態におけるＣＣＵの機能の構成例を示すブロック図である。
【図６４】第８の実施の形態における映像信号送信処理を説明するためのフローチャートである。
【図６５】第８の実施の形態の映像信号送信処理における、補助データ及び余剰画素の多重方法並びにデータブロックの生成方法の第１の例を説明するための図である。
【図６６】第８の実施の形態の映像信号送信処理における、補助データ及び余剰画素の多重方法並びにデータブロックの生成方法の第２の例を説明するための図である。
【図６７】第８の実施の形態における映像信号送信処理においてベーシックストリームから生成されるデータブロックの例を示す図である。
【図６８】第８の実施の形態における映像信号送信処理においてベーシックストリームから生成されるデータブロックの例を示す図である。
【図６９】第８の実施の形態における映像信号受信処理を説明するためのフローチャートである。
【図７０】コンピュータの構成例を示すブロック図である。
【手続補正８】
【補正対象書類名】明細書
【補正対象項目名】００６５
【補正方法】変更
【補正の内容】
【００６５】
ＴＲＳ検出部１４２−１は、ＨＤ−ＳＤＩに含まれるＳＡＶ（Start of Active Video）及びＥＡＶ（End of Active Video）を検出し、ＨＤ−ＳＤＩのワード同期を取る。そして、ＴＲＳ検出部１４２−１は、ＨＤ−ＳＤＩのＳＡＶの先頭から順に所定のビット（例えば、４０ビット）単位でデータを抽出し、ＲＡＭ１４３−１に記憶させる。
【手続補正９】
【補正対象書類名】明細書
【補正対象項目名】００６９
【補正方法】変更
【補正の内容】
【００６９】
ＴＲＳ検出部１５２−１は、ＨＤ−ＳＤＩに含まれるＳＡＶ及びＥＡＶを検出し、ＨＤ−ＳＤＩのワード同期を取る。そして、ＴＲＳ検出部１５２−１は、ＨＤ−ＳＤＩのＳＡＶの先頭から順に所定のビット（例えば、４０ビット）単位でデータを抽出し、ＲＡＭ１５３−１に記憶させる。
【手続補正１０】
【補正対象書類名】明細書
【補正対象項目名】００７５
【補正方法】変更
【補正の内容】
【００７５】
なお、スクランブル部１３１及び８Ｂ／１０Ｂ変換部１３２は、１４８．５ＭＨｚのクロック信号に同期して処理を行う。一方、データストリーム生成部１３３及びＰ／Ｓ変換部１３４は、１６７．０６２５ＭＨｚのクロック信号に同期して処理を行う。
【手続補正１１】
【補正対象書類名】明細書
【補正対象項目名】００８５
【補正方法】変更
【補正の内容】
【００８５】
Ｓ／Ｐ変換・クロック再生部２１１は、伝送用データストリームをシリアル／パラレル変換（Ｓ／Ｐ変換）し、ワード同期検出・データストリーム再生部２１２に供給する。また、Ｓ／Ｐ変換・クロック再生部２１１は、伝送用データストリームに重畳されているクロック信号の再生を行い、信号処理部２０２の各部に供給する。
【手続補正１２】
【補正対象書類名】明細書
【補正対象項目名】００８６
【補正方法】変更
【補正の内容】
【００８６】
ワード同期検出・データストリーム再生部２１２は、Ｓ／Ｐ変換された伝送用データストリームからワード同期信号を検出し、伝送用データストリームのワード同期を取る。また、ワード同期検出・データストリーム再生部２１２は、放送用カメラ１１ａの多重部１１２と逆の処理により、伝送用データストリームから６４チャンネルのＨＤ−ＳＤＩのデータストリームを再生し、映像再生部２１３に供給する。
【手続補正１３】
【補正対象書類名】明細書
【補正対象項目名】０１０１
【補正方法】変更
【補正の内容】
【０１０１】
８Ｋ信号の有効画素領域の偶数ラインである第２ｉライン（ｉ＝０乃至２１５９）の第４ｊ＋２サンプル及び第４ｊ＋３サンプル（ｊ＝０乃至１９１９）の画素サンプルが、第２の４Ｋ信号の有効画素領域の第ｉラインの第２ｊサンプル及び第２ｊ＋１サンプルにマッピングされる。従って、第２の４Ｋの有効画素領域は、８Ｋ信号の有効画素領域の偶数ラインの第４ｊ＋２サンプル及び第４ｊ＋３サンプルの画素サンプルを間引いて、元の順序のまま並べた映像信号となる。
【手続補正１４】
【補正対象書類名】明細書
【補正対象項目名】０１３２
【補正方法】変更
【補正の内容】
【０１３２】
このようにして、６４チャンネルのＨＤ−ＳＤＩに対して、最大で３２個のオーディオデータパケットを多重することができる。
【手続補正１５】
【補正対象書類名】明細書
【補正対象項目名】０１３３
【補正方法】変更
【補正の内容】
【０１３３】
ここで、例えば、４８ｋＨｚサンプリングのオーディオ信号は、１９２０×１１２５／５０ＩのＨＤ−ＳＤＩに対して、１ライン当たり平均で約１．７１回（＝４８ｋＨｚ÷（５０Ｈｚ÷２）÷１１２５ライン）サンプリングされる。また、例えば、４８ｋＨｚサンプリングのオーディオ信号は、１９２０×１１２５／６０ＩのＨＤ−ＳＤＩに対して、１ライン当たり平均で約１．４２回（＝４８ｋＨｚ÷（６０Ｈｚ÷２）÷１１２５ライン）サンプリングされる。すなわち、４８ｋＨｚサンプリングのオーディオ信号は、１９２０×１１２５／５０Ｉ，６０ＩのＨＤ−ＳＤＩに対して、１ライン当たり１回又は２回サンプリングされる。
【手続補正１６】
【補正対象書類名】明細書
【補正対象項目名】０１３４
【補正方法】変更
【補正の内容】
【０１３４】
従って、４８ｋＨｚサンプリングのオーディオ信号を１９２０×１１２５／５０Ｉ，６０ＩのＨＤ−ＳＤＩに多重して伝送する場合、各チャンネルのオーディオ信号を最大で１ラインに２サンプル多重する必要がある。そして、上述したように、３２個のオーディオデータパケットを多重することができるので、４８ｋＨｚサンプリングのオーディオ信号を最大で６４チャンネル（＝４チャンネル×３２個÷２）多重して伝送することができる。
【手続補正１７】
【補正対象書類名】明細書
【補正対象項目名】０１３５
【補正方法】変更
【補正の内容】
【０１３５】
なお、３２ｋＨｚ、４４．１ｋＨｚサンプリングのオーディオ信号も同様に、最大で６４チャンネル伝送することができる。一方、９６ｋＨｚサンプリングのオーディオ信号の場合、その半分の最大で３２チャンネル伝送することができる。
【手続補正１８】
【補正対象書類名】明細書
【補正対象項目名】０１５５
【補正方法】変更
【補正の内容】
【０１５５】
そして、マッピング部１１１は、チャンネル１乃至１６のＨＤ−ＳＤＩを多重部１１２−１に供給し、チャンネル１７乃至３２のＨＤ−ＳＤＩを多重部１１２−２に供給する。また、マッピング部１１１は、チャンネル３３乃至４８のＨＤ−ＳＤＩを多重部１１２−３に供給し、チャンネル４９乃至６４のＨＤ−ＳＤＩを多重部１１２−４に供給する。
【手続補正１９】
【補正対象書類名】明細書
【補正対象項目名】０１９４
【補正方法】変更
【補正の内容】
【０１９４】
この場合、伝送用データストリームに多重するＨＤ−ＳＤＩのデータ量は、１チャンネル当たり４４，０００ビット（２，２００サンプル×２０ビット）になる。従って、伝送用データストリームに多重される映像データのデータ量は、７０４，０００ビット（＝４４，０００ビット×１６チャンネル）になる。ここで、伝送用データストリームのビットレートが２６．７３Ｇｂｐｓなので、１ライン当たりのデータ量は７９２，０００ビット（＝２６．７３Ｇｂｐｓ÷（６０Ｈｚ÷２）÷１，１２５ライン）になる。従って、伝送用データストリームに多重されるスタッフィングデータ（ワード同期信号を含む）のデータ量は、８８，０００ビット（＝７９２，０００ビット−７０４，０００ビット）になる。
【手続補正２０】
【補正対象書類名】明細書
【補正対象項目名】０１９８
【補正方法】変更
【補正の内容】
【０１９８】
ステップＳ５３において、ワード同期検出・データストリーム再生部２１２は、伝送用データストリームからＨＤ−ＳＤＩのデータストリームを再生する。具体的には、ワード同期検出・データストリーム再生部２１２は、４レーンの伝送用データストリームに多重されているワード同期信号を検出し、伝送用データストリームのワード同期を取る。そして、ワード同期検出・データストリーム再生部２１２は、放送用カメラ１１ａの多重部１１２と逆の処理により、４レーンの伝送用データストリームから６４チャンネルのＨＤ−ＳＤＩを再生する。ワード同期検出・データストリーム再生部２１２は、再生した６４チャンネルのＨＤ−ＳＤＩを映像再生部２１３に供給する。
【手続補正２１】
【補正対象書類名】明細書
【補正対象項目名】０２１７
【補正方法】変更
【補正の内容】
【０２１７】
ワード同期検出・データストリーム再生部４１１には、Ｓ／Ｐ変換された伝送用データストリームがＳ／Ｐ変換・クロック再生部２１１から供給される。そして、ワード同期検出・データストリーム再生部４１１は、伝送用データストリームからワード同期信号を検出し、伝送用データストリームのワード同期を取る。また、ワード同期検出・データストリーム再生部４１１は、放送用カメラ１１ｂの多重部３１１と逆の処理により、伝送用データストリームから６４チャンネルのＨＤ−ＳＤＩのデータストリームを再生し、映像再生部２１３に供給する。
【手続補正２２】
【補正対象書類名】明細書
【補正対象項目名】０２３８
【補正方法】変更
【補正の内容】
【０２３８】
ステップＳ１５３において、ワード同期検出・データストリーム再生部４１１は、伝送用データストリームからＨＤ−ＳＤＩのデータストリームを再生する。具体的には、ワード同期検出・データストリーム再生部４１１は、４レーンの伝送用データストリームに多重されているワード同期信号を検出し、伝送用データストリームのワード同期を取る。そして、ワード同期検出・データストリーム再生部４１１は、放送用カメラ１１ｂの多重部３１１と逆の処理により、４レーンの伝送用データストリームから６４チャンネルのＨＤ−ＳＤＩを再生する。ワード同期検出・データストリーム再生部４１１は、再生した６４チャンネルのＨＤ−ＳＤＩを映像再生部２１３に供給する。
【手続補正２３】
【補正対象書類名】明細書
【補正対象項目名】０２４３
【補正方法】変更
【補正の内容】
【０２４３】
｛放送用カメラ１１ｃの構成例｝
図３３は、第３の実施の形態における放送用カメラ１１の実施の形態である放送用カメラ１１ｃの機能の構成例を示すブロック図である。なお、図中、図２４の放送用カメラ１１ｂと対応する部分には同じ符号を付してあり、処理が同じ部分については、その説明は繰り返しになるので、適宜省略する。
【手続補正２４】
【補正対象書類名】明細書
【補正対象項目名】０２５４
【補正方法】変更
【補正の内容】
【０２５４】
ワード同期検出・データストリーム再生部６１１には、Ｓ／Ｐ変換された伝送用データストリームがＳ／Ｐ変換・クロック再生部２１１から供給される。そして、ワード同期検出・データストリーム再生部６１１は、伝送用データストリームからワード同期信号を検出し、伝送用データストリームのワード同期を取る。また、ワード同期検出・データストリーム再生部６１１は、放送用カメラ１１ｃの多重部５１２と逆の処理により、伝送用データストリームから３２チャンネルのＨＤ−ＳＤＩのデータストリームを再生し、映像再生部６１２に供給する。
【手続補正２５】
【補正対象書類名】明細書
【補正対象項目名】０２８２
【補正方法】変更
【補正の内容】
【０２８２】
ステップＳ２０３において、多重部５１２は、伝送用データストリームを生成する。このとき、図２７のステップＳ１０３と同様の処理により、伝送用データストリームが生成される。すなわち、チャンネル１乃至１６のＨＤ−ＳＤＩから第１レーンの伝送用データストリームが生成され、Ｐ／Ｓ変換部１３４に供給される。また、チャンネル１７乃至３２のＨＤ−ＳＤＩから第２レーンの伝送用データストリームが生成され、Ｐ／Ｓ変換部１３４供給される。
【手続補正２６】
【補正対象書類名】明細書
【補正対象項目名】０２８４
【補正方法】変更
【補正の内容】
【０２８４】
｛第３の実施の形態における映像信号受信処理｝
次に、図４１のフローチャートを参照して、ＣＣＵ１２ｃにより実行される映像信号受信処理について説明する。
【手続補正２７】
【補正対象書類名】明細書
【補正対象項目名】０２８７
【補正方法】変更
【補正の内容】
【０２８７】
ステップＳ２５３において、ワード同期検出・データストリーム再生部６１１は、伝送用データストリームからＨＤ−ＳＤＩのデータストリームを再生する。具体的には、ワード同期検出・データストリーム再生部６１１は、２レーンの伝送用データストリームに多重されているワード同期信号を検出し、伝送用データストリームのワード同期を取る。そして、ワード同期検出・データストリーム再生部６１１は、放送用カメラ１１ｃの多重部５１２と逆の処理により、２レーンの伝送用データストリームから３２チャンネルのＨＤ−ＳＤＩを再生する。ワード同期検出・データストリーム再生部６１１は、再生した３２チャンネルのＨＤ−ＳＤＩを映像再生部６１２に供給する。
【手続補正２８】
【補正対象書類名】明細書
【補正対象項目名】０３００
【補正方法】変更
【補正の内容】
【０３００】
次に、第１乃至第８のサブイメージの第５６２ラインから第５８３ラインまでの２２ラインの領域に、垂直ブランキング領域が設けられる。
【手続補正２９】
【補正対象書類名】明細書
【補正対象項目名】０３３９
【補正方法】変更
【補正の内容】
【０３３９】
補助データは、第１の実施の形態の第１の多重方法と同様に、奇数チャンネルのＨＤ−ＳＤＩの水平補助データ領域に補助データが多重される。これにより、３２チャンネルのＨＤ−ＳＤＩに対して、最大で１６個のオーディオデータパケットを多重することができる。
【手続補正３０】
【補正対象書類名】明細書
【補正対象項目名】０３５１
【補正方法】変更
【補正の内容】
【０３５１】
そして、余剰画素多重領域相対比率は、次式（１６）乃至（２０）に示される値となる。なお、式（１６）は３８４０×２１６０／６０ＰのＲＡＷ信号を伝送する場合の比率を示し、式（１７）は３８４０×２１６０／５０ＰのＲＡＷ信号を伝送する場合の比率を示している。式（１８）は４０９６×２１６０／６０ＰのＲＡＷ信号を伝送する場合の比率を示し、式（１９）は４０９６×２１６０／５０ＰのＲＡＷ信号を伝送する場合の比率を示し、式（２０）は４０９６×２１６０／４８ＰのＲＡＷ信号を伝送する場合の比率を示している。
【手続補正３１】
【補正対象書類名】明細書
【補正対象項目名】０３６４
【補正方法】変更
【補正の内容】
【０３６４】
ステップＳ３５３において、ワード同期検出・データストリーム再生部８１１は、伝送用データストリームからＨＤ−ＳＤＩのデータストリームを再生する。具体的には、ワード同期検出・データストリーム再生部８１１は、２レーンの伝送用データストリームに多重されているワード同期信号を検出し、伝送用データストリームのワード同期を取る。そして、ワード同期検出・データストリーム再生部８１１は、放送用カメラ１１ｄの多重部７１２と逆の処理により、２レーンの伝送用データストリームから３２チャンネルのＨＤ−ＳＤＩを再生する。ワード同期検出・データストリーム再生部８１１は、再生した３２チャンネルのＨＤ−ＳＤＩを映像再生部８１２に供給する。
【手続補正３２】
【補正対象書類名】明細書
【補正対象項目名】０３９２
【補正方法】変更
【補正の内容】
【０３９２】
ワード同期検出・データストリーム再生部１０１１は、Ｓ／Ｐ変換された伝送用データストリームからワード同期信号を検出し、伝送用データストリームのワード同期を取る。また、ワード同期検出・データストリーム再生部１０１１は、放送用カメラ１１ｅの多重部９１２と逆の処理により、伝送用データストリームから４８チャンネルのベーシックストリームを再生し、映像再生部１０１２に供給する。
【手続補正３３】
【補正対象書類名】明細書
【補正対象項目名】０４０４
【補正方法】変更
【補正の内容】
【０４０４】
このようにして、４８チャンネルのベーシックストリームに対して、最大２４個のオーディオデータパケットを多重することができる。
【手続補正３４】
【補正対象書類名】明細書
【補正対象項目名】０４０６
【補正方法】変更
【補正の内容】
【０４０６】
従って、４８ｋＨｚサンプリングのオーディオ信号を１９２０×１１２５／５０Ｐ，６０Ｐのベーシックストリームに多重して伝送する場合、各チャンネルのオーディオ信号を最大で１ラインに１サンプル多重する必要がある。そして、上述したように、２４個のオーディオデータパケットを多重することができるので、４８ｋＨｚサンプリングのオーディオ信号を最大で９６チャンネル（＝４チャンネル×２４個）多重して伝送することができる。
【手続補正３５】
【補正対象書類名】明細書
【補正対象項目名】０４０７
【補正方法】変更
【補正の内容】
【０４０７】
なお、３２ｋＨｚ、４４．１ｋＨｚサンプリングのオーディオ信号も同様に、最大で９６チャンネル伝送することができる。一方、９６ｋＨｚサンプリングのオーディオ信号の場合、その半分の最大で４８チャンネル伝送することができる。
【手続補正３６】
【補正対象書類名】明細書
【補正対象項目名】０４２９
【補正方法】変更
【補正の内容】
【０４２９】
以上のようにして、図５８に模式的に示されるように、チャンネル１乃至１２のベーシックストリームからそれぞれ生成された６０ビットのデータブロックが、４クロック毎にデータストリーム生成部９３２に供給される。これにより、図５９にモデル化して示したように、実質的に、１８０ビット／サンプルのデータが１クロック毎にデータストリーム生成部９３２に供給される処理が、４クロック周期で繰り返される。従って、実質的に１８０ビット×１４８．５ＭＨｚのデータストリームが、データストリーム生成部９３２に供給されることになる。
【手続補正３７】
【補正対象書類名】明細書
【補正対象項目名】０４４１
【補正方法】変更
【補正の内容】
【０４４１】
ステップＳ４５３において、ワード同期検出・データストリーム再生部１０１１は、伝送用データストリームからベーシックストリームを再生する。具体的には、ワード同期検出・データストリーム再生部１０１１は、４レーンの伝送用データストリームに多重されているワード同期信号を検出し、伝送用データストリームのワード同期を取る。そして、ワード同期検出・データストリーム再生部１０１１は、放送用カメラ１１ｅの多重部９１２と逆の処理により、４レーンの伝送用データストリームから４８チャンネルのベーシックストリームを再生する。ワード同期検出・データストリーム再生部１０１１は、再生した４８チャンネルのベーシックストリームを映像再生部１０１２に供給する。
【手続補正３８】
【補正対象書類名】明細書
【補正対象項目名】０４４６
【補正方法】変更
【補正の内容】
【０４４６】
｛放送用カメラ１１ｆの構成例｝
図６１は、第８の実施の形態における放送用カメラ１１の実施の形態である放送用カメラ１１ｆの機能の構成例を示すブロック図である。なお、図中、図５２の放送用カメラ１１ｅと対応する部分には同じ符号を付してあり、処理が同じ部分については、その説明は繰り返しになるので、適宜省略する。
【手続補正３９】
【補正対象書類名】明細書
【補正対象項目名】０４４９
【補正方法】変更
【補正の内容】
【０４４９】
信号処理部１１０２は、撮像素子１１０１から供給される映像信号を１００ＧｂＥ用デバイスにより伝送可能な方式のデータストリームに多重し、そのデータストリームを送信制御部１０３に供給する。信号処理部１１０２は、マッピング部１１１１、並びに、多重部１１１２−１乃至１１１２−８を含むように構成される。
【手続補正４０】
【補正対象書類名】明細書
【補正対象項目名】０４６６
【補正方法】変更
【補正の内容】
【０４６６】
従って、第７の実施の形態の第１の多重方法と同様に、４８チャンネルのベーシックストリームに対して、最大２４個のオーディオデータパケットを多重することができる。
【手続補正４１】
【補正対象書類名】明細書
【補正対象項目名】０４６７
【補正方法】変更
【補正の内容】
【０４６７】
ここで、例えば、４８ｋＨｚサンプリングのオーディオ信号は、１９２０×１１２５／１００Ｐのベーシックストリームに対して、１ライン当たり平均で約０．４２６回（＝４８ｋＨｚ÷１００Ｈｚ÷１１２５ライン）サンプリングされる。また、例えば、４８ｋＨｚサンプリングのオーディオ信号は、１９２０×１１２５／１２０Ｐのベーシックストリームに対して、１ライン当たり平均で約０．３５６回（＝４８ｋＨｚ÷１２０Ｈｚ÷１１２５ライン）サンプリングされる。すなわち、４８ｋＨｚサンプリングのオーディオ信号は、１９２０×１１２５／１００Ｐ，１２０Ｐのベーシックストリームの２ライン又は３ラインに１回サンプリングされる。
【手続補正４２】
【補正対象書類名】明細書
【補正対象項目名】０４６８
【補正方法】変更
【補正の内容】
【０４６８】
従って、４８ｋＨｚサンプリングのオーディオ信号を１９２０×１１２５／１００Ｐ，１２０Ｐのベーシックストリームに多重して伝送する場合、各チャンネルのオーディオ信号を最大で２ラインに１サンプル多重する必要がある。そして、上述したように、２４個のオーディオデータパケットを多重することができるので、４８ｋＨｚサンプリングのオーディオ信号を最大で１９２チャンネル（＝４チャンネル×２４個×２）多重して伝送することができる。
【手続補正４３】
【補正対象書類名】明細書
【補正対象項目名】０４６９
【補正方法】変更
【補正の内容】
【０４６９】
なお、３２ｋＨｚ、４４．１ｋＨｚサンプリングのオーディオ信号も同様に、最大で１９２チャンネル伝送することができる。一方、９６ｋＨｚサンプリングのオーディオ信号の場合、その半分の最大で９６チャンネル伝送することができる。
【手続補正４４】
【補正対象書類名】明細書
【補正対象項目名】０４７４
【補正方法】変更
【補正の内容】
【０４７４】
なお、上述したように、ベーシックストリームの有効映像データ領域が２０４８サンプルの場合、水平補助データ領域に多重できるオーディオデータのパケットの個数は、有効映像データ領域が１９２０サンプルの場合の半分になる。従って、ベーシックストリームの有効映像データ領域が２０４８サンプルの場合、最大で１２８チャンネルの３２ｋＨｚ、４４．１ｋＨｚ、４８ｋＨｚサンプリングのオーディオ信号を多重して伝送することができる。また、最大で６４チャンネルの９６ｋＨｚサンプリングのオーディオ信号を多重して伝送することができる。
【手続補正４５】
【補正対象書類名】明細書
【補正対象項目名】０４９４
【補正方法】変更
【補正の内容】
【０４９４】
ステップＳ５５３において、ワード同期検出・データストリーム再生部１２１１は、伝送用データストリームからベーシックストリームを再生する。具体的には、ワード同期検出・データストリーム再生部１２１１は、８レーンの伝送用データストリームに多重されているワード同期信号を検出し、伝送用データストリームのワード同期を取る。そして、ワード同期検出・データストリーム再生部１２１１は、放送用カメラ１１ｆの多重部１１１２と逆の処理により、８レーンの伝送用データストリームから４８チャンネルのベーシックストリームを再生する。ワード同期検出・データストリーム再生部１２１１は、再生した４８チャンネルのベーシックストリームを映像再生部１２１２に供給する。
【手続補正４６】
【補正対象書類名】明細書
【補正対象項目名】０４９５
【補正方法】変更
【補正の内容】
【０４９５】
ステップＳ５５４において、映像再生部１２１２は、ベーシックストリームから映像信号を再生する。具体的には、映像再生部１２１２は、放送用カメラ１１ｆのマッピング部１１１１と逆の処理により、４８チャンネルのベーシックストリームから元の８Ｋ信号を再生する。映像再生部１２１２は、再生した８Ｋ信号を映像処理部２０３に供給する。
【手続補正４７】
【補正対象書類名】明細書
【補正対象項目名】０５１３
【補正方法】変更
【補正の内容】
【０５１３】
この場合、例えば、データストリーム生成部に入力されるデータストリームのビットレートをｘ（ｂｐｓ）とし、データストリーム生成部から出力される伝送用データストリームのワード長をｙビットとした場合、データストリーム生成部が動作するクロック信号のクロック周波数ｚは、ｘ（ｂｐｓ）÷ｙビットに設定すればよい。例えば、データストリーム生成部に入力されるデータストリームのビットレートが１８０ビット×１４８．５ＭＨｚの場合、クロック周波数ｚは、１８０ビット×１４８．５ＭＨｚ÷ｙビットに設定すればよい。また、例えば、データストリーム生成部に入力されるデータストリームのビットレートが１８０ビット×１４８．５／１．００１ＭＨｚの場合、クロック周波数ｚは、１８０ビット×１４８．５／１．００１ＭＨｚ÷ｙビットに設定すればよい。
【手続補正４８】
【補正対象書類名】明細書
【補正対象項目名】０５２８
【補正方法】変更
【補正の内容】
【０５２８】
（１）
８Ｋ又は４Ｋの映像信号を所定のＳＤＩ（Serial Digital Interface）のフォーマットで規定されるデータストリームである複数のチャンネルのＳＤＩデータストリームにマッピングするマッピング部と、
複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより、ビットレートが２５Ｇｂｐｓから２８．３Ｇｂｐｓの範囲内の複数のレーンのシリアルのデータストリームを生成する多重部と
を備える信号処理装置。
（２）
前記マッピング部は、８Ｋの４８Ｐ−６０Ｐ／４：４：４／１０ビット，１２ビット又は４８Ｐ−６０Ｐ／４：２：２／１２ビットの映像信号をＨＤ−ＳＤＩのフォーマットで規定されるデータストリームである６４チャンネルの第１のＳＤＩデータストリーム、又は、３Ｇ−ＳＤＩのフォーマットで規定されるデータストリームである３２チャンネルの第２のＳＤＩデータストリームにマッピングし、
前記多重部は、奇数又は偶数のいずれか一方のチャンネルの前記第１のＳＤＩデータストリーム又は前記第２のＳＤＩデータストリームに対して４０ビット単位で８Ｂ／１０Ｂ変換を行い、他方のチャンネルの前記第１のＳＤＩデータストリーム又は前記第２のＳＤＩデータストリームに対して４０ビット毎に３２ビットのデータを抽出し、抽出したデータの８Ｂ／１０Ｂ変換を行うとともに、８Ｂ／１０Ｂ変換後の６４チャンネルの前記第１のＳＤＩデータストリーム又は３２チャンネルの前記第２のＳＤＩデータストリームを多重化することにより、４レーンの前記シリアルのデータストリームを生成する
前記（１）に記載の信号処理装置。
（３）
前記マッピング部は、８Ｋの４８Ｐ−６０Ｐ／４：２：２／１０ビットの映像信号をＨＤ−ＳＤＩのフォーマットで規定されるデータストリームである３２チャンネルの第１のＳＤＩデータストリーム、又は、３Ｇ−ＳＤＩのフォーマットで規定されるデータストリームである１６チャンネルの第２のＳＤＩデータストリームにマッピングし、
前記多重部は、奇数又は偶数のいずれか一方のチャンネルの前記第１のＳＤＩデータストリーム又は前記第２のＳＤＩデータストリームに対して４０ビット単位で８Ｂ／１０Ｂ変換を行い、他方のチャンネルの前記第１のＳＤＩデータストリーム又は前記第２のＳＤＩデータストリームに対して４０ビット単位でスクランブルを行うとともに、８Ｂ／１０Ｂ変換又はスクランブル後の３２チャンネルの前記第１のＳＤＩデータストリーム又は１６チャンネルの前記第２のＳＤＩデータストリームを多重化することにより、２レーンの前記シリアルのデータストリームを生成する
前記（１）に記載の信号処理装置。
（４）
前記マッピング部は、８Ｋの４８Ｐ−６０Ｐ／４：４：４／１０ビット，１２ビット又は４８Ｐ−６０Ｐ／４：２：２／１２ビットの映像信号をＨＤ−ＳＤＩのフォーマットで規定されるデータストリームである６４チャンネルの第１のＳＤＩデータストリーム、又は、３Ｇ−ＳＤＩのフォーマットで規定されるデータストリームである３２チャンネルの第２のＳＤＩデータストリームにマッピングし、
前記多重部は、奇数又は偶数のいずれか一方のチャンネルの前記第１のＳＤＩデータストリーム又は前記第２のＳＤＩデータストリームに対して４０ビット単位でスクランブルを行い、他方のチャンネルの前記第１のＳＤＩデータストリーム又は前記第２のＳＤＩデータストリームに対して４０ビット毎に３２ビットのデータを抽出し、抽出したデータの８Ｂ／１０Ｂ変換を行うとともに、スクランブル又は８Ｂ／１０Ｂ変換後の６４チャンネルの前記第１のＳＤＩデータストリーム又は３２チャンネルの前記第２のＳＤＩデータストリームを多重化することにより、４レーンの前記シリアルのデータストリームを生成する
前記（１）に記載の信号処理装置。
（５）
前記マッピング部は、４Ｋの４８Ｐ−６０Ｐ／４：４：４／１６ビットのＲＡＷ信号をＨＤ−ＳＤＩのフォーマットで規定されるデータストリームである３２チャンネルの第１のＳＤＩデータストリーム、又は、３Ｇ−ＳＤＩのフォーマットで規定されるデータストリームである１６チャンネルの第２のＳＤＩデータストリームにマッピングし、
前記多重部は、奇数又は偶数のいずれか一方のチャンネルの前記第１のＳＤＩデータストリーム又は前記第２のＳＤＩデータストリームに対して４０ビット単位で８Ｂ／１０Ｂ変換を行い、他方のチャンネルの前記第１のＳＤＩデータストリーム又は前記第２のＳＤＩデータストリームに対して４０ビット毎に３２ビットのデータを抽出し、抽出したデータの８Ｂ／１０Ｂ変換を行うとともに、８Ｂ／１０Ｂ変換後の３２チャンネルの前記第１のＳＤＩデータストリーム又は１６チャンネルの前記第２のＳＤＩデータストリームを多重化することにより、２レーンの前記シリアルのデータストリームを生成する
前記（１）に記載の信号処理装置。
（６）
前記マッピング部は、８Ｋ又は４Ｋの９６Ｐ−１２０Ｐの映像信号を２フレーム単位で複数のチャンネルの前記ＳＤＩデータストリームにマッピングする
前記（１）乃至（５）のいずれかに記載の信号処理装置。
（７）
前記マッピング部は、８Ｋの５０Ｐ−６０Ｐ／４：４：４／１０ビット，１２ビットの映像信号をワード長が１２ビットの４８チャンネルの前記ＳＤＩデータストリームにマッピングし、
前記多重部は、４８チャンネルの前記ＳＤＩデータストリームに対して４８ビット単位で８Ｂ／１０Ｂ変換を行い、８Ｂ／１０Ｂ変換後の４８チャンネルの前記ＳＤＩデータストリームを多重化することにより、４レーンの前記シリアルのデータストリームを生成する
前記（１）に記載の信号処理装置。
（８）
前記マッピング部は、８Ｋの１００Ｐ−１２０Ｐ／４：４：４／１０ビット，１２ビットの映像信号をワード長が１２ビットの４８チャンネルの前記ＳＤＩデータストリームにマッピングし、
前記多重部は、４８チャンネルの前記ＳＤＩデータストリームに対して４８ビット単位で８Ｂ／１０Ｂ変換を行い、８Ｂ／１０Ｂ変換後の４８チャンネルの前記ＳＤＩデータストリームを多重化することにより、８レーンの前記シリアルのデータストリームを生成する
前記（１）に記載の信号処理装置。
（９）
前記多重部は、前記シリアルのデータストリームのレーン数だけ設けられ、
各前記多重部は、
それぞれ１つの前記ＳＤＩデータストリームが入力され、入力された前記ＳＤＩデータストリームに対して所定のビット単位で８Ｂ／１０Ｂ変換又はスクランブルを行い、所定のビットのデータブロックを生成する複数の信号処理部と、
複数の前記信号処理部により生成された前記データブロックを所定の順序で多重化することにより、所定のワード長のパラレルのデータストリームを生成するデータストリーム生成部と、
前記パラレルのデータストリームをパラレル／シリアル変換することにより、前記シリアルのデータストリームを生成するパラレル／シリアル変換部と
を備える前記（１）乃至（８）のいずれかに記載の信号処理装置。
（１０）
複数の前記信号処理部は、１４８．５ＭＨｚ又は１４８．５／１．００１ＭＨｚのクロック信号に同期して処理を行うとともに、４クロック毎に合計で７２０ビットのデータを出力し、
前記データストリーム生成部は、ｘＭＨｚのクロック信号に同期して動作するとともに、１クロック毎に１８０ビット×１４８．５ＭＨｚ÷ｘＭＨｚ（ビット）又は１８０ビット×１４８．５／１．００１ＭＨｚ÷ｘＭＨｚ（ビット）のパラレルのデータを出力する
前記（９）に記載の信号処理装置。
（１１）
前記データストリーム生成部は、前記シリアルのデータストリームの各ラインの先頭に所定の同期信号を多重する
前記（９）に記載の信号処理装置。
（１２）
前記マッピング部は、各前記ＳＤＩデータストリームの水平補助データ領域内に音声データを含む補助データを多重する領域を確保し、前記水平補助データ領域の残りの領域に、前記８Ｋ又は４Ｋの映像信号の水平方向の余剰画素領域の画素サンプルのデータを多重する
前記（１）乃至（１１）のいずれかに記載の信号処理装置。
（１３）
前記マッピング部は、複数のチャンネルのうちの所定のチャンネルの前記ＳＤＩデータストリームの水平補助データ領域に音声データを含む補助データを多重し、前記補助データを多重するチャンネルと異なるチャンネルの前記ＳＤＩデータストリームの前記水平補助データ領域に、前記８Ｋ又は４Ｋの映像信号の水平方向の余剰画素領域の画素サンプルのデータを多重する
前記（１）乃至（１１）のいずれかに記載の信号処理装置。
（１４）
複数のレーンの前記シリアルのデータストリームを波長多重して１００Ｇｂｐｓのイーサネット用デバイスを介して送信するように制御する送信制御部を
さらに備える前記（１）乃至（１３）のいずれかに記載の信号処理装置。
（１５）
８Ｋ又は４Ｋの映像信号を所定のＳＤＩ（Serial Digital Interface）のフォーマットで規定されるデータストリームである複数のチャンネルのＳＤＩデータストリームにマッピングし、
複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより、ビットレートが２５Ｇｂｐｓから２８．３Ｇｂｐｓの範囲内の複数のレーンのシリアルのデータストリームを生成する
ステップを含む信号処理方法。
（１６）
８Ｋ又は４Ｋの映像信号を所定のＳＤＩ（Serial Digital Interface）のフォーマットで規定されるデータストリームである複数のチャンネルのＳＤＩデータストリームにマッピングし、
複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより、ビットレートが２５Ｇｂｐｓから２８．３Ｇｂｐｓの範囲内の複数のレーンのシリアルのデータストリームを生成する
ステップを含む処理をコンピュータに実行させるためのプログラム。
（１７）
８Ｋ又は４Ｋの映像信号を所定のＳＤＩ（Serial Digital Interface）のフォーマットで規定されるデータストリームである複数のチャンネルのＳＤＩデータストリームにマッピングし、複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより生成される、ビットレートが２５Ｇｂｐｓから２８．３Ｇｂｐｓの範囲内の複数のレーンのシリアルのデータストリームから、複数のチャンネルの前記ＳＤＩデータストリームを再生するデータストリーム再生部と、
複数のチャンネルの前記ＳＤＩデータストリームから前記８Ｋ又は４Ｋの映像信号を再生する映像再生部と
を備える信号処理装置。
（１８）
８Ｋ又は４Ｋの映像信号を所定のＳＤＩ（Serial Digital Interface）のフォーマットで規定されるデータストリームである複数のチャンネルのＳＤＩデータストリームにマッピングし、複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより生成される、ビットレートが２５Ｇｂｐｓから２８．３Ｇｂｐｓの範囲内の複数のレーンのシリアルのデータストリームから、複数のチャンネルの前記ＳＤＩデータストリームを再生し、
複数のチャンネルの前記ＳＤＩデータストリームから前記８Ｋ又は４Ｋの映像信号を再生する
ステップを含む信号処理方法。
（１９）
８Ｋ又は４Ｋの映像信号を所定のＳＤＩ（Serial Digital Interface）のフォーマットで規定されるデータストリームである複数のチャンネルのＳＤＩデータストリームにマッピングし、複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより生成される、ビットレートが２５Ｇｂｐｓから２８．３Ｇｂｐｓの範囲内の複数のレーンのシリアルのデータストリームから、複数のチャンネルの前記ＳＤＩデータストリームを再生し、
複数のチャンネルの前記ＳＤＩデータストリームから前記８Ｋ又は４Ｋの映像信号を再生する
ステップを含む処理をコンピュータに実行させるためのプログラム。
（２０）
８Ｋ又は４Ｋの映像信号を所定のＳＤＩ（Serial Digital Interface）のフォーマットで規定されるデータストリームである複数のチャンネルのＳＤＩデータストリームにマッピングするマッピング部と、
複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより、ビットレートが２５Ｇｂｐｓから２８．３Ｇｂｐｓの範囲内の複数のレーンのシリアルのデータストリームを生成する多重部と、
複数のレーンの前記シリアルのデータストリームの送信を制御する送信制御部と
を備える信号送信装置と、
複数のレーンの前記シリアルのデータストリームの受信を制御する受信制御部と、
複数のレーンの前記シリアルのデータストリームから、複数のチャンネルの前記ＳＤＩデータストリームを再生するデータストリーム再生部と、
複数のチャンネルの前記ＳＤＩデータストリームから前記８Ｋ又は４Ｋの映像信号を再生する映像再生部と
を備える信号受信装置と
を含む信号伝送システム。
【手続補正４９】
【補正対象書類名】図面
【補正対象項目名】図１４
【補正方法】変更
【補正の内容】
【図１４】
2015076704.tif 000001